(57)【要約】【課題】  ケーシングの内部に設置され、ケーシングの内部で回転する回転体を任意の位置で停止させることが可能な回転体の機械式回転停止装置を提供する。【解決手段】  本発明に係る回転体の機械式回転停止装置は、内部に回転体１２が設置されたケーシング１１に取り付けられた、前記回転体の回転方向に沿った方向に傾動するハンドル２を具備する、前記回転体の回転を停止するための回転体の機械式回転停止装置１であって、前記ハンドルは、前記ハンドルの傾動によって前記回転体に対する突出位置が変化する爪状突起３を有し、該爪状突起が、前記ハンドルの傾動によって前記回転体に設けられたリブに掛かることで、前記回転体の回転が停止するように構成されている。【選択図】            図１
2019183867.tif 000002
【特許請求の範囲】
【請求項１】
内部に回転体が設置されたケーシングに取り付けられた、前記回転体の回転方向に沿った方向に傾動するハンドルを具備する、前記回転体の回転を停止するための回転体の機械式回転停止装置であって、
前記ハンドルは、前記ハンドルの傾動によって前記回転体に対する突出位置が変化する爪状突起を有し、
該爪状突起が、前記ハンドルの傾動によって前記回転体に設けられたリブに掛かることで、前記回転体の回転が停止するように構成されている、回転体の機械式回転停止装置。
【発明の詳細な説明】
【技術分野】
【０００１】
本発明は、ケーシングの内部に設置され、ケーシングの内部で回転する回転体の回転を停止するための、回転体の機械式回転停止装置に関する。
【背景技術】
【０００２】
製鉄所の製鋼工程では、転炉に装入した溶銑に、上吹きランスまたは底吹き羽口を介して工業用純酸素ガスを供給し、溶銑中の炭素を工業用酸素ガスで酸化除去し、溶銑から溶鋼を溶製している。この溶製プロセスは、溶銑の脱炭精錬と呼ばれており、脱炭精錬中の転炉内溶湯の成分及び温度を測定するために、サブランスが用いられている。サブランスの先端には、通常、酸素濃淡電池及び熱電対を有するプローブが装着され、このプローブを転炉内の溶湯に浸漬させ、転炉内溶湯の炭素濃度及び温度を測定している。このプローブは消耗品であり、１回の使用毎に、プローブ供給装置から新品のプローブが供給されて交換される。
【０００３】
プローブ供給装置は、ドラム内に多数のプローブを収納し、油圧モーターによるドラムの回転によってプローブをプローブ供給位置に配置し、順次、プローブがサブランスに供給される装置であるが、ドラムへのプローブの補給は、人手によってドラムを任意の位置に停止して、人手で実施している。プローブ供給装置は、ドラムの機械的な回転停止機構を有していないことから、この補給作業中に、重量バランスによってドラムが回転する懸念がある。ドラムが思いもよらずに回転すると、挟まれ事故及び巻き込まれ事故の危険性がある。
【０００４】
このような状況に対し、従来、機側制御盤で油圧モーターへの油圧の停止・ロックを行い対応しているが、ドラムの重量バランスや油圧のリークによって、ドラムが回転する懸念がある。
【０００５】
回転体の機械的な停止装置としては、ストッパーピンの挿入による停止や回転軸にブレーキ機構を設置して停止させる方法が、一般的に多く使用されている。
【０００６】
しかし、製鋼工程で使用するプローブ供給装置では、ドラムが３６０度回転し、ドラムを任意の位置に停止させてプローブを補給する都合上、ストッパーピンのように、停止位置を一定の場所または所定の範囲内に収めて停止させる機構は不向きとなる。また、ブレーキを用いて回転軸やドラム側板に摩擦抵抗を生じさせ、ドラムを停止させる機構においても、ブレーキパッドなどの摺動部の摩耗管理が必要であること、及び、製鋼工程の多粉塵環境においては滑りが生じやすいといった問題点から不向きとなっている。
【０００７】
また、回転体の機械的な停止装置として、特許文献１には、自動車用ハンドルと操舵装置との間にコンピュータを介在させて、通常は自動車用ハンドルの操作角を電気信号としてコンピュータに取り込み、コンピュータが操舵角の入力値を安全な操舵条件（目標角、目標角までの変化速度）の範囲テーブル内にあるか否かを参照し、必要に応じた補正を加えたうえで操舵装置に出力する、自動車の操舵装置のステア・バイ・ワイヤ方式において、コンピュータによる操舵制御が脱調した際に、自動車用ハンドルと操舵装置とを直結するロック機構が提案されている。
【０００８】
特許文献２には、テレビジョン用カメラのビューファインダの回転位置ロック装置が提案されている。
【０００９】
しかしながら、特許文献１及び特許文献２は、いずれも、回転ロックのために専用の歯車板を用いているほか、適用する回転体の大きさや重量も、本発明で対象とするプローブ供給装置のドラムに比較すると小型であり、重量や取り付けスペースの観点からは、本発明で対象とするプローブ供給装置のドラムの停止装置としては、応用が難しいと考えられる。
【先行技術文献】
【特許文献】
【００１０】
【特許文献１】特開２００７−１２７２０７号公報
【特許文献２】特開平９−２７５５１４号公報
【発明の概要】
【発明が解決しようとする課題】
【００１１】
本発明は上記事情に鑑みてなされたもので、その目的とするところは、製鋼工程で使用するプローブ供給装置のドラムのように、ケーシングの内部に設置され、ケーシングの内部で回転する回転体を任意の位置で停止させることが可能な回転体の機械式回転停止装置を提供することである。
【課題を解決するための手段】
【００１２】
上記課題を解決するための本発明の要旨は以下のとおりである。
［１］内部に回転体が設置されたケーシングに取り付けられた、前記回転体の回転方向に沿った方向に傾動するハンドルを具備する、前記回転体の回転を停止するための回転体の機械式回転停止装置であって、
前記ハンドルは、前記ハンドルの傾動によって前記回転体に対する突出位置が変化する爪状突起を有し、
該爪状突起が、前記ハンドルの傾動によって前記回転体に設けられたリブに掛かることで、前記回転体の回転が停止するように構成されている、回転体の機械式回転停止装置。
【発明の効果】
【００１３】
本発明によれば、ハンドルの傾動によって爪状突起の突出量を変化させ、爪状突起を回転体に設けたリブに掛けて回転体の回転を機械的に停止するので、ケーシングの内部で回転する回転体を任意の位置で停止させることができ、回転体の不慮の回転による挟まれ事項及び巻き込まれ事故の防止が可能となる。
【図面の簡単な説明】
【００１４】
【図１】本発明に係る回転体の機械式回転停止装置が設置されたプローブ供給装置を、プローブ供給装置に設置されたドラムの回転軸に平行な方向から見た概略図である。
【図２】本発明に係る回転体の機械式回転停止装置が設置されたプローブ供給装置を、プローブ供給装置に設置されたドラムの回転軸に直交する方向から見た概略図である。
【図３】図１に示す機械式回転停止装置の詳細図である。
【図４】本発明に係る回転体の機械式回転停止装置の作動詳細図である。
【発明を実施するための形態】
【００１５】
以下、本発明に係る回転体の機械式回転停止装置を、製鉄所の製鋼工程における転炉での脱炭精錬などで使用される、サブランスにプローブを供給するためのプローブ供給装置に適用した場合を例として、添付図面を参照して説明する。
【００１６】
図１は、本発明に係る回転体の機械式回転停止装置が設置されたプローブ供給装置を、プローブ供給装置に設置されたドラムの回転軸に平行な方向から見た概略図、図２は、プローブ供給装置を、プローブ供給装置に設置されたドラムの回転軸に直交する方向から見た概略図、図３は、図１に示す機械式回転停止装置の詳細図、図４は、本発明に係る回転体の機械式回転停止装置の作動詳細図である。
【００１７】
図１、図２及び図３に示すように、プローブ供給装置１０は、外殻を例えば鋼製の金属板からなるケーシング１１とし、ケーシング１１の内部にドラム１２が設置されている。ドラム１２は、回転軸１７を軸心として、油圧モーター（図示せず）によってケーシング１１の内部で回転するように構成されている。このドラム１２が、本明細書における回転体に該当する。
【００１８】
ドラム１２には、円周方向に複数のプローブ装填部１３が設けられており、このプローブ装填部１３に、ケーシング１１に設けられたプローブ補給開口部１４から、人手によってプローブ（図示せず）が補給される。プローブ装填部１３に装填されたプローブは、ドラム１２の回転によってプローブ供給位置１５に順次配置され、プローブ供給位置１５で、サブランス（図示せず）に供給される。
【００１９】
このように構成されるプローブ供給装置１０に、本発明に係る機械式回転停止装置１が設置されている。本発明に係る機械式回転停止装置１は、下記に説明するように、ハンドル２、爪状突起３、軸４及びガイドブラケット５を具備する。
【００２０】
ケーシング１１の片方の外殻側面を構成する金属板１１ａには、金属板１１ａを貫通し、且つ、金属板１１ａに対して回転自在な軸４が設置されている。この軸４の金属板１１ａの外側の先端部に、ハンドル２が軸４に固定して取り付けられ、一方、軸４の金属板１１ａの内側の先端部に、つまり、軸４のハンドル２とは反対側の先端部に、爪状突起３が軸４に固定して取り付けられている。
【００２１】
ハンドル２と金属板１１ａとの間には、金属板１１ａに固定されたガイドブラケット５が設置されている。ガイドブラケット５には溝５ａが設けられており、一方、ハンドル２には金属製ピン２ａが設けられており、金属製ピン２ａが溝５ａの内側に位置するように、ハンドル２とガイドブラケット５との位置関係が調整されている。
【００２２】
ドラム１２を人手によって任意の位置に停止した状態で、ハンドル２を、人手によって軸４を回転軸としてドラム１２の回転方向に沿った方向に傾動させると、図４に示すように、軸４に取り付けられた爪状突起３のドラム１２に対する突出位置が変化する。ドラム１２には、円周方向に多数のリブ１６が設置されており、爪状突起３がリブ１６に掛かることで、ドラム１２の回転が防止される。
【００２３】
具体的には、図４において、ハンドル２を、紙面の下側（時計回り）に傾動すると、爪状突起３のドラム１２に対する突出量が大きくなり、爪状突起３がリブ１６に掛かり、ドラム１２の回転が機械的に防止される（図３の「作動位置」の状態）。逆に、ハンドル２を、紙面の上側（反時計回り）に傾動すると、爪状突起３のドラム１２に対する突出量が小さくなり、爪状突起３がリブ１６に接触しなくなり、ドラム１２は自在に回転可能となる。ハンドル２を、紙面の上側（反時計回り）に最も傾動させると、図３の「退避位置」の状態になる。
【００２４】
爪状突起３がリブ１６に掛かったとき、または、掛かっているとき、ドラム１２の重量バランスなどに起因してドラム１２が回転しようとしても、ハンドル２に取り付けた金属製ピン２ａがガイドブラケット５の溝５ａの内側に位置することから、ドラム１２の回転力が「てこの原理」によってガイドブラケット５に作用し、ガイドブラケット５によってドラム１２の回転が防止される。この機構により、ドラム１２の正逆回転時において、ドラム１２は一定回転量以上には動かない構成となっている。
【００２５】
以上説明したように、本発明に係る機械式回転停止装置１によれば、ハンドル２の傾動によって爪状突起３の突出量を変化させ、爪状突起３をドラム１２に設けたリブ１６に掛けてドラム１２の回転を機械的に停止するので、ケーシング１１の内部で回転するドラム１２を任意の位置で停止させることができ、ドラム１２の不慮の回転による挟まれ事故及び巻き込まれ事故の防止が可能となる。
【００２６】
尚、上記説明は、本発明を製鋼工程で使用するサブランスにプローブを供給するためのプローブ供給装置１０に適用した場合を例としているが、ケーシングの内部で回転する回転体であれば、本発明を適用することができ、回転体の用途により、本発明の制限を受けることはない。
【符号の説明】
【００２７】
１  機械式回転停止装置
２  ハンドル
２ａ  金属製ピン
３  爪状突起
４  軸
５  ガイドブラケット
５ａ  溝
１０  プローブ供給装置
１１  ケーシング
１１ａ  金属板
１２  ドラム
１３  プローブ装填部
１４  プローブ補給開口部
１５  プローブ供給位置
１６  リブ
１７  回転軸
【図１】
2019183867.tif 000003
【図２】
2019183867.tif 000004
【図３】
2019183867.tif 000005
【図４】
2019183867.tif 000006